(57)【要約】【課題】  データの時間軸方向を圧縮でき、情報の伝達、記録、情報の埋め込みの処理時間の短縮や記録密度の増大を図り、改ざんに対する耐性を増大させる。【解決手段】  記録すべきデジタルデータを逆ＦＦＴ演算部２２で演算してデータブロック毎の擬似アナログデータを得、記録用メモリ部２３に格納された擬似アナログデータを、アナログ信号生成部２４によって擬似アナログ信号を、書き込み装置１２で記録媒体１３に書き込むか、または、通信装置１４にて通信すると共に、記録媒体１３から読取装置１５によってアナログ信号を読み取るか、または、通信装置１６で受信して、読み取り、または、受信したアナログ信号をＡ／Ｄコンバータ３２で変換して量子化された信号を得、復号用メモリ部３３に格納してデータブロック毎に量子化された信号を得る。ＦＦＴ演算部３４によってデータブロック毎に量子化された信号を演算してＦＦＴスペクトルデータを算出し、スペクトルデータを復号処理部３５によって処理して復号したデジタルデータを得る。【選択図】  図１
2005117287.tif 000002
【特許請求の範囲】
【請求項１】
情報を２値化したデジタル信号を、伝達、記録、埋め込みなどを行うためにデータ変換する方法であって、
０と１に２値化されたデジタルデータの各桁にそれぞれ対応する周波数を割り付け、２値化されたデジタルデータの各桁に、１あるいは０の何れかのみに該当する周波数を成分とする擬似アナログ信号を生成する信号処理手段を設けて、デジタルデータを擬似アナログ信号に変換することを特徴とする情報変換方法。
【請求項２】
上記擬似アナログ信号を構成する周波数帯よりも低い周波数帯と高い周波数帯に、それぞれ少なくとも一つずつの周波数を定め、これを基準周波数として変換するデジタルデータに関係なく、基準周波数を含む擬似アナログ信号に変換することを特徴とする請求項１に記載の情報変換方法。
【請求項３】
前記擬似アナログ信号を構成する周波数ｆｍは、高速フーリエ変換（ＦＦＴ）による復号を行うときのサンプリング周波数をＦとし、サンプリング個数を２ｎとするとき、ｆ０＝３×Ｆ／２ｎの倍数であることを特徴とする請求項１に記載の情報変換方法。
【請求項４】
擬似アナログ信号を記録する記録媒体の移動量を検出する手段を設け、前記擬似アナログ信号の時間軸方向を、時間の代わりに記録媒体の移動量で規定することを特徴とする請求項１に記載の情報変換方法。
【請求項５】
伝達、記録あるいは埋め込みのための擬似アナログ信号を、周波数に変換する信号処理手段を介して既擬似アナログ信号を周波数成分に変換し、擬似アナログ信号を構成している周波数に対応するデジタルデータの桁に１または０の何れかのみを置数し、それ以外の周波数に対応するデジタルデジタルの桁には、擬似アナログ信号を構成している周波数に対応するデジタルデータの桁に置数した値とは別の置数を施して、デジタルデータに復号することを特徴とする情報変換方法。
【請求項６】
デジタルデータに復号する際、デジタルデータとは無関係に記録されている、擬似アナログ信号を構成する周波数帯より低い周波数帯と高い周波数帯に記録されている少なくとも一つずつの基準周波数を、擬似アナログ信号の周波数を特定するための基準周波数とすることを特徴とする請求項１、４又は５に記載の情報変換方法。
【請求項７】
記録媒体の移動量を検出する手段を設け、前記擬似アナログ信号の時間軸方向を、時間の代わりに擬似アナログ信号を記録する記録媒体の移動量で規定することを特徴とする請求項１又は４に記載の情報変換方法。
【発明の詳細な説明】
【技術分野】
【０００１】
本発明は、情報変換方法に係り、特に、有線または無線によるデジタル信号の送受信の時間短縮や、磁気記録カード等の記録媒体の記録の高密度化、あるいはデジタルデータへの透かしやタイムスタンプなど電子署名の埋め込みの高密度化と改ざんに対する耐性を強化するためのデジタル信号の変換と復号する方法に関する。
【背景技術】
【０００２】
デジタルデータは０と１の２種類であるため、信号化した場合時間軸方向に０と１とを時間幅を異なえて並べている。このとき、信号の０または１を規定する情報は時間の幅だけであり、パワー軸方向つまり振幅方向にはなんら情報を持たせていない。そのため、情報の伝達あるいは記録においてデータ長に比例した時間が必要であった。
【０００３】
また、特許文献１に見られるように、連続性のあるデジタルデータに連続的に時刻情報を埋め込むタイムスタンプの場合、年月日時分のデータ埋め込むには１秒の内の半分以上の時間を費やしてしまう。
【特許文献１】特願２００３−２８２８３９号
【発明の開示】
【発明が解決しようとする課題】
【０００４】
解決しようとする問題点は、データの時間軸方法を圧縮できず、情報の伝達、記録、情報の埋め込みの処理時間の短縮や記録密度の増大を図ることが不可能にして、改ざんに対する耐性が低いことである。
【０００５】
本発明は、上記問題点を解決するために、データ信号において時間軸方向に展開されている情報を振幅方向にも展開させることで、時間軸方向を圧縮し、情報の伝達、記録、情報の埋め込みの処理時間の短縮や記録密度の増大を目指すと共に、改ざんされ易くかつその痕跡が判明しにくい離散的デジタルデータを、連続性のある擬似アナログ信号となすことで、改ざんに対する耐性を高めることを目的とする。
【課題を解決するための手段】
【０００６】
上記の問題点を解決するために、本発明の請求項１に係る情報変換方法は、情報を２値化したデジタル信号を、伝達、記録、埋め込みなどを行うためにデータ変換する方法であって、０と１に２値化されたデジタルデータの各桁にそれぞれ対応する周波数を割り付け、２値化されたデジタルデータの各桁に１あるいは０のどちらかのみに該当する周波数を成分とする擬似アナログ信号を生成する信号処理手段を設けて、デジタルデータを擬似アナログ信号に変換することを特徴としている。
【０００７】
また、本発明の請求項２に係る情報変換方法は、上記擬似アナログ信号を構成する周波数帯よりも低い周波数帯と高い周波数帯に、それぞれ少なくとも一つずつの周波数を定め、これを基準周波数として変換するデジタルデータに関係なく、基準周波数を含む擬似アナログ信号に変換することを特徴としている。
【０００８】
さらに、本発明の請求項３に係る情報変換方法は、前記擬似アナログ信号を構成する周波数ｆｍは、ＦＦＴによる復号を行うときのサンプリング周波数をＦとし、サンプリング個数を２ｎとするとき、ｆ０＝３×Ｆ／２ｎの倍数であることを特徴としている。
【０００９】
また、本発明の請求項４に係る情報変換方法は、擬似アナログ信号を記録する記録媒体の移動量を検出する手段を設け、前記擬似アナログ信号の時間軸方向を、時間の代わりに記録媒体の移動量で規定することを特徴としている。
【００１０】
さらに、本発明の請求項５に係る情報変換方法は、伝達、記録あるいは埋め込みのための擬似アナログ信号を、周波数に変換する信号処理手段を介して既擬似アナログ信号を周波数成分に変換し、擬似アナログ信号を構成している周波数に対応するデジタルデータの桁に予め定められた規則に従い１または０のどちらかのみを置数し、それ以外の周波数に対応するデジタルデジタルの桁には、擬似アナログ信号を構成している周波数に対応するデジタルデータの桁に置数した値とは別の置数を施して、デジタルデータに復号することを特徴としている。
【００１１】
また、本発明の請求項６に係る情報変換方法は、デジタルデータに復号する際、デジタルデータとは無関係に記録されている、擬似アナログ信号を構成する周波数帯より低い周波数帯と高い周波数帯に記録されている少なくとも一つずつの基準周波数を、擬似アナログ信号の周波数を特定するための基準周波数とすることを特徴としている。
【００１２】
さらに、本発明の請求項７に係る情報変換方は、記録媒体の移動量を検出する手段を設け、前記擬似アナログ信号の時間軸方向を、時間の代わりに擬似アナログ信号を記録する記録媒体の移動量で規定することを特徴としている。
【００１３】
上述した各手段によれば、情報を、複数の桁で構成される２値化されたデジタルデータ化し、２値化されたデータ群を、各桁に対応した周波数に置き換えて生成した擬似的なアナログ信号に変換したうえで、伝達のために送信、記録、また、埋め込みを行うと共に、合成信号を周波数分析し、信号を合成している周波数成分を抽出して、周波数に対応する桁に置数することで２値化された信号を復元し、情報を再生することができる。
【発明の効果】
【００１４】
以上述べた次第で、本発明によるデジタル信号を擬似アナログ信号に変換する方法は、１次元方向に並んでいるデジタルデータを２次元方向に展開することが可能となり、データの伝達、記録、あるいは埋め込み等に関して時間軸や記録媒体の記録方向の長さなどが圧縮できることにより、短時間での情報の伝達、埋め込みや、既存の記録媒体の高密度記録化などが実現することができる。
【発明を実施するための最良の形態】
【００１５】
以下に、本発明の実施の形態によるデジタルデータの変換方法について、図１から図９を参照しながら説明する。図１は、本発明の実施の形態によるデジタルデータ変換装置の概略ブロック図であって、図中、１０は外部装置、２０はデータ変換手段、３０はデータ復号手段である。
【００１６】
外部装置１０は、情報処理端末１１、１１’と、磁気記録カードなどの物理的記録媒体１３と、データ変換手段２０側に接続された記録装置／書込み装置１２又は通信装置１４と、データ復号手段３０側に接続された読取装置１５又は通信装置１６によって構成される。
【００１７】
一方の情報処理端末１１は、伝達、記録、情報の埋め込み等の対象であるデジタルデータを分割するために適当な桁数を定める。また、一方の情報処理端末１１は、復号する時点においてナイキストサンプリングが可能であり、且つ、復号における１回のサンプリング時間の逆数よりも低い周波数を最小周波数とする周波数帯域を想定し、その帯域内を上記桁数に１を加えた値で分割する。分割された周波数の各値のうち、最小と最大周波数を除いた各周波数をデジタルデータの各桁に割り付ける。この周波数と桁の割り付けや復号の時のサンプリング周波数などの緒元に関しては、データ変換と復号の両方において整合性が取れるように予め定めておく。選定した周波数についてパワーを適当に定めて、擬似アナログ信号を生成する。当然、水平パリティのために、一つの周波数を割り当てることも考えられる。この場合は、分割は、桁数に２を加えた値となる。また、高低周波数は高低一つずつではなく、複数個ずつ用意しても良い。この場合は、分割数は、「桁数に加える基準周波数−１」を加えた値となる。
【００１８】
データ変換手段２０は、外部装置１０の一方の情報処理端末１１からの変換対象デジタルデータを格納する変換対象データメモリ部２１と、このメモリ部２１からのデジタルデータを入力として逆ＦＦＴ（逆高速フーリエ変換）演算を実行する逆ＦＦＴ演算部２２と、逆ＦＦＴ演算部２２のデータブロック毎の擬似アナログデータを格納するメモリ部２３と、メモリ部２３の擬似アナログデータを擬似アナログ信号に変換するアナログ信号生成部２４と、内部時計のクロックまたは媒体移動量検出器２５によって構成される。
【００１９】
逆ＦＦＴ演算部２２は、メモリ部２１からの記録すべきデジタルデータについて逆ＦＦＴ演算を行い、データブロック毎の擬似アナログデータを算出し、これを記録用メモリ部２３に格納する。アナログ信号生成部２４は、内部時計のクロックまたは媒体移動量検出器２５からのタイミングを基に、選定した周波数についてパワーを適当に定めて、各データブロック毎に擬似アナログ信号を作成し、ブロックとブロックが区別できるように間隔を空けるなどして擬似アナログ信号群を作成する。通信装置１４は、作成された擬似アナログ信号群を、有線、無線で送信する。また、記録装置／書込み装置１２は、作成された擬似アナログ信号群を記録媒体１４の磁気記録カードに書き込んだり、電子すかしや埋め込み情報として各種デジタルデータの所定の位置に書き込む。尚、磁気カードなどの記録媒体に書き込む場合は、媒体移動量を検出してその移動量をタイミングとするが、その他、通信やデータの埋め込み等に関しては、内部時計のクロックを使用する。
【００２０】
復号手段３０は、外部装置１０の読取装置１５が記録媒体１３から読み取ったアナログ信号、または通信装置１６が受信したアナログ信号を、量子化された信号に変換するＡ／Ｄコンバータ３２と、内部時計のクロックまたは媒体移動量検出器３１と、量子化された信号をデータブロック毎に格納する復号用メモリ部３３と、データブロック毎に量子化された信号をＦＦＴ演算処理して高速フーリエ変換（ＦＦＴ）スペクトルデータを算出するＦＦＴ演算部３４、およびＦＦＴスペクトルデータを２値化および復号処理してデジタルデータを生成する復号処理部３５によって構成される。
【００２１】
Ａ／Ｄコンバータ３２は外部装置１０の読取装置１５或いは通信装置１６が読み取りまたは受信したアナログ信号を、内部時計のクロックまたは媒体移動量検出部３１のタイミングを基に、量子化する。復号用メモリ部３３は、量子化された信号をデータブロック毎に格納する。ＦＦＴ演算部３４は、データブロック毎に量子化された信号を基に、ＦＦＴ演算を実行し、ＦＦＴスペクトルデータを算出する。復号処理部３５は、ＦＦＴスペクトルデータを２値化すると共に復号化して、デジタルデータを得、この復号化したデジタルデータを他方の情報処理装置１１’に導く。
【００２２】
ＦＦＴ演算部３４は、ＦＦＴ（高速フーリエ変換）を使って復号をする場合は、ＦＦＴを行う際のサンプリング周波数をＦとし、サンプリング個数２ｎとしたとき、前記分割された周波数を次の関係式を満たす周波数に修正することで、より精度の高い復号が可能となる。
ｆｍ＝３・Ｍ・Ｆ／２ｎ    （ただし、Ｍ，ｎは自然数）
【００２３】
上記装置の作用を要約すると、まず準備として、伝達、記録、情報の埋め込み等の対象であるデジタルデータを分割するために適当な桁数を定める。復号する時点においてナイキストサンプリングが可能であり、かつ、復号における１回のサンプリング時間の逆数よりも低い周波数を最小周波数とする周波数帯域を想定し、その帯域内を上記桁数に１を加えた値で分割する。分割された周波数の各値のうち、最小と最大周波数を除いた各周波数をデジタルデータの各桁に割り付ける。この周波数と桁の割り付けや復号の時のサンプリング周波数などの緒元に関しては、データ変換と復号の両方において整合性が取れるように予め定めておく。
【００２４】
データ変換として、伝達、記録、情報の埋め込み等の対象であるデジタルデータを適当な桁数に分割してデータブロックを作成する。本実施例においては、データブロックの各桁の２値化されたデータのうち、１の場合は対応する周波数を出力することとし、０の場合は出力しないこととする。
【００２５】
また、桁に割り付けられていない最小と最大周波数は、デジタルデータブロックの内容に拘わらず常に出力することとする。出力すると選定した周波数についてパワーを適当に定めて逆ＦＦＴを行い、擬似アナログ信号を生成する。当然、水平パリティのために、一つの周波数を割り当てることも考えられる。この場合は、分割は、桁数に２を加えた値となる。また、高低周波数は高低一つずつではなく、複数個ずつ用意しても良い。この場合は、分割数は、「高低周波数の合計数−１」を加えた値となる。以上のように各データブロック毎に擬似アナログ信号を作成し、ブロックとブロックが区別できるように間隔を空けるなどして擬似アナログ信号群を作成する。
【００２６】
次いで、作成した擬似アナログ信号群を有線、無線で送信したり、記録媒体に書き込んだり、電子すかしや埋め込み情報として各種デジタルデータの所定の位置に書き込む。磁気カードなどの記録媒体に書き込む場合は、周波数を規定するのは時間ではなく、記録媒体の移動量とする。
【００２７】
復号に際して、擬似アナログ信号に変換されたデータをデジタルデータに復号するには、擬似アナログ信号群の一つ目をＦＦＴして周波数成分に変換する。周波数成分のうち最小の周波数と最大の周波数は基準周波数であり、この両方の周波数の区間を予め定めた分割数で分割することで各桁に対応する周波数を求める。この行為は、変換時点と復号時点での環境変化や、機器の違いに由来する内部時計の基準周波数の違いがあっても、確実に復号するための手段である。
【００２８】
擬似アナログ信号の周波数成分として認識された周波数に対応する桁に１を、その他には０を置数する。ただし、基準周波数として使用している周波数や水平パリティとして使用している周波数には、何も置数しない。以上のように各信号ブロックを復号して、順番に２値化されたデータを並べることで復号が完了する。
【００２９】
尚、図１では一方の（ひとつの）情報処理端末１１内でデジタルデータを変換して、有線または無線通信により、他方の情報処理端末１１’にデータを伝送する場合と、磁気カード等の物理的記録媒体１３に記録する場合の構成が示されているが、当然、ただひとつの情報処理端末や電話の通話記録装置内における自己完結型の処理であってもよく、その選択は任意である。
【００３０】
図２は、デジタルデータを逆ＦＦＴを用いて擬似アナログ信号化するためのフローチャートである。図２に示すように、ステップＳＴ１で、メモリ部２１は伝達、記録するためのデジタルデータを読み込む。次に、ステップＳＴ２でメモリ部２１はデータを最適な大きさのブロック群に分割する。次いで、ステップＳＴ３で、逆ＦＦＴ演算部２２は分割したブロック毎に２値データのうち、１が立つ桁に対応する周波数を抽出する。次の、ステップＳＴ４では、逆ＦＦＴ演算部２２はブロック毎に抽出した周波数群を適当なパワーを定めて逆ＦＦＴ演算を行う。次に、ステップＳＴ５で逆変換演算部２２は抽出した周波数群に対して適当なパワーを定めて逆ＦＦＴ演算を行いアナログ信号化して記録用メモリ部２３に格納する。次に、ステップＳＴ６でアナログ信号生成部２４は全てのデータブロックの逆ＦＦＴが完了したか否かを判断し、完了していなければステップＳＴ４に戻り、ステップＳＴ４からステップＳＴ６までの動作を繰り返し、完了しておればステップＳＴ７に進む。次に、ステップＳＴ７で記録装置／書込み装置１２は擬似アナログ化したデータを物理的記録媒体１３に伝達、記録するか、または、通信装置１４が擬似アナログ化したデータを有線または無線で通信して動作を終了する。
【００３１】
図３は、擬似アナログ信号をＦＦＴを用いてデジタルデータに復号化するためのフローチャートである。図３に示すように、ステップＳＴ８で読取装置１５が記録媒体１３から読み出すか、又は、通信装置１６が受信した擬似アナログ信号を予め決められている長さに分割する。次に、ステップＳＴ９でＦＦＴ演算部３４は分割された擬似アナログ信号の全域をＦＦＴにより周波数分析する。次に、ステップＳＴ１０でＦＦＴ演算部３４は閾値より大きいパワーのスペクトルを持つ周波数成分を抽出する。次に、ステップＳＴ１１で復号処理部３５は抽出した最小および最大周波数の周波数帯を予め決められている分割数で分割する。次に、ステップＳＴ１２で復号処理部３５は分割された周波数の近傍にスペクトルがある場合、その周波数に対するデジタルデータの桁に１を置数する。次のステップＳＴ１３では、復号処理部３５はそれ以外の桁には０を置数することでデジタルデジタルが復号される。次に、ステップＳＴ１４で情報処理端末１１’は全ての分割された擬似アナログ信号の復号が完了したか否かを判断する。完了していなければステップＳＴ９の戻り、ステップＳＴ１４までの動作を繰り返し、完了しておればステップＳＴ１５に進み、情報処理端末１１’は分割されたデジタルデータを順番に並べてデータを復元して、動作を終了する。
【実施例】
【００３２】
本発明の実施例によるデジタルデータの変換方法を分かりやすくするために、電話による通話記録に８ビットのデータを一元化して埋め込むことを目的とした、８ビットデータを擬似アナログ信号へ変換する方法で説明する。
【００３３】
図４は、４．０ＫＨｚから５．５ＫＨｚを使って８ビットのデータを表現するために、各桁を対応する周波数に割り付ける方法を図式化したものである。
【００３４】
（１）復号の時のサンプリング周波数を１１．０２５ＫＨｚとした場合、アナログ信号生成部２３がデジタルデータをアナログ信号化するとき、ナイキストサンプリング可能な周波数は５．５ＫＨｚ以下であるため、擬似アナログ信号を構成する周波数帯は４．０〜５．５ＫＨｚとする。
【００３５】
（２）この周波数帯を９等分して図４のように４．００ＫＨｚ、４．１７ＫＨｚ、４．３３ＫＨｚ、４．５０ＫＨｚ、４．６７ＫＨｚ、４．８３ＫＨｚ、５．００ＫＨｚ、５．１７ＫＨｚ、５．３３ＫＨｚ、５．５０ＫＨｚの１０個の周波数に分割する。
【００３６】
（３）例えば、８ビットデジタルデータ「１０１０１０１０」の場合は、図５の如く、２進数の１に対応する周波数である４．１７ＫＨｚ、４．５０ＫＨｚ、４．８３ＫＨｚ、５．１７ＫＨｚの４つの周波数と、周波数帯の両端の４．００ＫＨｚ、５．５０ＫＨｚの合計６個の周波数を使って、アナログ信号生成部２３は擬似アナログ信号を生成する。生成には逆ＦＦＴ演算部２１の逆ＦＦＴなどの信号処理を用いる。
【００３７】
図６は生成擬似アナログ信号である。この信号は、冗長性を持たせるために複数回繰り返して埋め込み用の信号とする。
【００３８】
（４）図７のＡ）は電話による通話の音声信号であり、Ｂ）は音声信号に対して一元化して埋め込むデジタルデータを上記（１）〜（３）の方法で擬似アナログ信号化したものである。Ｂ）の５個のパルス信号は左より「１０１０１０１０」、「００１１００１１」、「１０１００１０１」、「０１０１０１０１」、「００１１１１００」である。Ｅ）はデータ「０１０１１０１０」の擬似アナログ信号を拡大したものである。各信号とも生成された１周期の波形を１０回繰り返して冗長性を与えている。
【００３９】
（５）図７のＣ）は、電話による通話の音声信号Ａ）に、（４）で生成した擬似アナログ信号を重ね合わせて一元化したデータである。
【００４０】
（６）図７のＤ）は一元化されたデータＣ）を、３．５ＫＨｚを閾値とするハイパスフィルタで処理をした信号である。一元化された信号から埋め込まれた擬似アナログ信号抽出することができる。Ｆ）はデータ「０１０１１０１０」に相当する擬似アナログ信号を複合化した信号を拡大したものである。
【００４１】
（７）図８は抽出して復号化した信号をＦＦＴ（高速フーリエ変換）した様子であり、Ｇ）は「１０１０１０１０」、Ｈ）は「００１１００１１」、Ｊ）は「１０１００１０１」、Ｋ）は「０１０１０１０１」、Ｌ）は「００１１１１００」に相当する。
【００４２】
（８）図８において、本来４．００ＫＨｚで記録されている最も低い周波数が、複合化したＦＦＴデータでは４ＫＨｚよりも低い結果が出ている。これは、データを記録した装置と抽出並びに復号する装置が別の装置であったり、あるいは、同じ装置であっても記録した時点と抽出復号する時点での環境条件の違いにより内部時計の精度が異なってしまうことが原因である。そこで、８ビットのデジタルデータ以外に常に発振する上限、下限の２個の周波数を調べ、その周波数帯を９等分した周波数を求める（図８では分かり易くするために、ずれを大きく強調している）。
【００４３】
（９）そしてＦＦＴデータのピークを検出し、そのピークのパワーが一定の閾値を超えるものを抽出したピークの周波数を読み取り、上記（８）で分割した周波数に一致する場合は対応するデジタルデータの桁のみに１を、その他は０を置数してデコードする。Ｇ）は「１０１０１０１０」と解読できる。
【００４４】
（１０）復号をＦＦＴを使って実施する場合は、信号を構成する周波数ｆｍを、ｆｍ＝３・Ｍ・Ｆ／２ｎ（ただしＦはサンプリング周波数、Ｍ，ｎは自然数）を満たす周波数に修正することで、より精度の高い復号が可能となる。
例えば、サンプリング周波数を１１．０２５ＫＨｚ、サンプリング個数を１０２４個とすると、３２．３Ｈｚの整数倍の周波数に変換することで、より精度の高い復号が可能となる。
したがって、４．００ＫＨｚ→４．００５ＫＨｚ、４．１７ＫＨｚ→４．１６７ＫＨｚ、４．３３ＫＨｚ→４．３２８ＫＨｚ、４．５０ＫＨｚ→４．４９０ＫＨｚ、４．６７ＫＨｚ→４．６８３ＫＨｚ、４．８３ＫＨｚ→４．８４５ＫＨｚ、５．００ＫＨｚ→５．００６ＫＨｚ、５．１７ＫＨｚ→５．１６８ＫＨｚ、５．３３ＫＨｚ→５．３２９ＫＨｚ、５．５０ＫＨｚ→５．４９１ＫＨｚが得られる。
【００４５】
（１１）図９は、（１０）の方法で変換した周波数を用いて擬似アナログ信号を生成し、音声信号に埋め込んだ後ハイパスフィルタで擬似アナログ信号を抽出し、ＦＦＴを行った結果である。図８の周波数分析結果よりも鮮明に周波数分析がなされている。
【図面の簡単な説明】
【００４６】
【図１】本発明の実施の形態による情報変換方法を実行する情報変換装置のブロック構成図。
【図２】本発明の実施の形態による情報変換方法におけるデジタルデータを逆ＦＦＴを用いて擬似アナログ信号化するための動作フローチャート。
【図３】本発明の実施の形態による情報変換方法における擬似アナログ信号をＦＦＴを用いてデジタルデータに復号化するための動作フローチャート。
【図４】本発明の実施の形態によるデジタルデータを表現するために、各桁を対応する周波数に割り付ける方法を示す図式化図。
【図５】本発明の実施の形態による図４の方法に基づく周波数成分の構成図。
【図６】本発明の実施の形態による図２に基づくデータを周波数に変換し生成せしめた擬似アナログ信号の波形図。
【図７】本発明の実施の形態による、通話の音声記録に付帯情報を埋め込んで合成した信号から、擬似アナログ信号を抽出する工程における信号を示す説明図。
【図８】本発明の実施の形態による情報変換方法におけるスペクトル図。
【図９】本発明の実施の形態による情報変換方法におけるスペクトル図。
【符号の説明】
【００４７】
１０          外部装置
１１、１１’          情報処理端末
１２          記録装置／書込み装置
１３          物理的記録媒体
１４、１６            通信装置
１５          読取装置
２０          データ変換手段
２１          変換対象データメモリ部
２２          逆ＦＦＴ演算部
２３          擬似アナログデータメモリ部
２４          アナログ信号生成部
２５，３１            クロックまたは媒体移動量検出器
３０          データ復号手段
３２          Ａ／Ｄコンバータ
３３          復号用メモリ部
３４          ＦＦＴ演算部
３５          復号処理部
【図１】
2005117287.tif 000003
【図２】
2005117287.tif 000004
【図３】
2005117287.tif 000005
【図４】
2005117287.tif 000006
【図５】
2005117287.tif 000007
【図６】
2005117287.tif 000008
【図７】
2005117287.tif 000009
【図８】
2005117287.tif 000010
【図９】
2005117287.tif 000011